(57)【要約】【課題】弾球遊技機において、球タンクの遊技球を整列させて流下させるための誘導樋を不要とする技術を提供する。【解決手段】弾球遊技機用の球タンク２３の内部では、前側の壁面２３ｃから後側の壁面２３ｄに向けて多数の仕切り板２３ｅが延出するとともに、後側の壁面２３ｄから前側の壁面２３ｃに向けて多数の仕切り板２３ｆが延出し、前側の仕切り板２３ｅと後側の仕切り板２３ｆとが左右方向に交互に配置されている。これにより、球タンク２３の内部に一条の誘導通路２３ｇが形成されている。この誘導通路２３ｇは、遊技球が一列に整列する状態で通過可能な筒状になっている。また、誘導通路２３ｇの底面２３ｈは、受入口２３ａ近傍から排出口２３ｂ近傍に向けて、緩やかな傾斜面となっている。【選択図】図３
2016214653.tif 000002
【特許請求の範囲】
【請求項１】
遊技盤と前記遊技盤の前方に配された透明板との間に形成される遊技領域に打ち込まれた遊技球を転動させることで遊技を行う弾球遊技機に用いられ、遊技機設置島から供給される遊技球を一時貯留する弾球遊技機用の球タンクにおいて、
前記遊技機設置島から供給される遊技球を一列に整列された状態で受け入れる受入口と、
遊技球を一列に整列された状態で排出する排出口と、
遊技球が一列に整列する状態で通過可能な筒状または樋状であり、前記受入口と前記排出口とを連結し、前記受入口から受け入れた遊技球を一列に整列させた状態で前記排出口まで誘導する誘導通路と、を備えること
を特徴とする弾球遊技機用の球タンク。
【請求項２】
請求項１に記載の弾球遊技機用の球タンクにおいて、
略直方体の箱形状を有し、
内部において、一方側の壁面から他方側の壁面に向けて多数の仕切り板が延出し、他方側の壁面から一方側の壁面に向けて多数の仕切り板が延出し、一方側の仕切り板と他方側の仕切り板とが左右方向に交互に配置されることで前記誘導通路が形成されていること
を特徴とする弾球遊技機用の球タンク。
【請求項３】
遊技盤と前記遊技盤の前方に配された透明板との間に形成される遊技領域に打ち込まれた遊技球を転動させることで遊技を行う弾球遊技機において、
遊技機設置島から供給される遊技球を一時貯留する請求項１または請求項２に記載の弾球遊技機用の球タンクを備えること
を特徴とする弾球遊技機。
【発明の詳細な説明】
【技術分野】
【０００１】
本発明は、弾球遊技機において、球タンクの遊技球を整列させて流下させるための誘導樋を不要とする技術に関する。
【背景技術】
【０００２】
従来より、遊技盤と、遊技盤の裏面に開閉可能に装着された機構板と、機構板の上部に設けられた球タンクと、球タンクの下方に設けられ、パチンコ球を整列させながらパチンコ球払出装置に導く誘導樋と、払出されたパチンコ球を機前の球受皿に導くための排出樋と、を備えるパチンコ機が知られている。
【０００３】
例えば、特許文献１には、上述のような構成を有するパチンコ機において、球タンクのパチンコ球を整列させて流下させる誘導樋の下流側の上方にガイド部材を固定的に設け、該ガイド部材の下面が、複数段に積み重なりながら流下するパチンコ球を徐々にならして一段に整流するように上流側から下流側に向けて所定の傾斜面を有している点が記載されている。
【先行技術文献】
【特許文献】
【０００４】
【特許文献１】実開平０６−４６７７８号公報
【発明の概要】
【発明が解決しようとする課題】
【０００５】
しかし、特許文献１に記載の弾球遊技機においては、球タンクのパチンコ玉を整列させて流下させるための誘導樋が必要となっていた。しかも、パチンコ玉を整列させて流下させるためには誘導樋にある程度の長さが必要であり、このような誘導樋を備えるためにはその分のスペースを弾球遊技機内に確保する必要があった。
【０００６】
本発明は、このような課題に鑑みなされたものであり、その目的とするところは、弾球遊技機において、球タンクの遊技球を整列させて流下させるための誘導樋を不要とする技術を提供することにある。
【課題を解決するための手段】
【０００７】
上記課題を解決するためになされた請求項１に係る弾球遊技機用の球タンクは、遊技盤と前記遊技盤の前方に配された透明板との間に形成される遊技領域に打ち込まれた遊技球を転動させることで遊技を行う弾球遊技機に用いられ、遊技機設置島から供給される遊技球を一時貯留する弾球遊技機用の球タンクにおいて、前記遊技機設置島から供給される遊技球を一列に整列された状態で受け入れる受入口と、遊技球を一列に整列された状態で排出する排出口と、遊技球が一列に整列する状態で通過可能な筒状または樋状であり、前記受入口と前記排出口とを連結し、前記受入口から受け入れた遊技球を一列に整列させた状態で前記排出口まで誘導する誘導通路と、を備えることを特徴とする。
【０００８】
このように構成された本発明の弾球遊技機用の球タンクによれば、受入口から受け入れた遊技球を一列に整列させた状態で排出口まで誘導するように構成されているので、従来構成の弾球遊技機が備えるような、球タンクの遊技球を整列させて流下させるための誘導樋が不要となる。そして、誘導樋を設置するためのスペースを弾球遊技機内に確保する必要もなくなる。
【０００９】
この場合、請求項２のように、略直方体の箱形状を有し、内部において、一方側の壁面から他方側の壁面に向けて多数の仕切り板が延出し、他方側の壁面から一方側の壁面に向けて多数の仕切り板が延出し、一方側の仕切り板と他方側の仕切り板とが左右方向に交互に配置されることで前記誘導通路が形成されていることが好ましい。
【００１０】
なお、本発明は、上述のような弾球遊技機用の球タンクを備える弾球遊技機としても実現可能である。具体的には、請求項３に係る弾球遊技機は、遊技盤と前記遊技盤の前方に配された透明板との間に形成される遊技領域に打ち込まれた遊技球を転動させることで遊技を行う弾球遊技機において、遊技機設置島から供給される遊技球を一時貯留する請求項１または請求項２に記載の弾球遊技機用の球タンクを備えることを特徴とする。
【図面の簡単な説明】
【００１１】
【図１】実施形態のパチンコ機１の正面図である。
【図２】実施形態のパチンコ機１の内観図である。
【図３】実施形態の球タンク２３の説明図である。
【発明を実施するための形態】
【００１２】
以下に本発明の実施形態を図面とともに説明する。
なお、以下の説明においては、パチンコ機１を構成する各部の相対的な位置関係を簡潔に説明するために、図中に併記した上下左右前後の各方向を利用して説明を行う。
【００１３】
図１に示すように、弾球遊技機の一種であるパチンコ機１は、遊技盤９と遊技盤９の前方に配された透明板としてのガラス板７ａとの間に形成される遊技領域に、発射装置（図示省略）によって打ち込まれた遊技球を転動させることで遊技を行う機能を有する。
【００１４】
パチンコ機１の前面部には、盤面窓枠２が配されている。
盤面窓枠２は、外枠３に保持された中枠４に取り付けられている。より具体的には、盤面窓枠２はヒンジ５ａ，５ｂにて中枠４に軸支され、扉状に開閉できる。また、盤面窓枠２にはハンドル２ｃが取り付けられている。
【００１５】
また、盤面窓枠２には窓７が設けられ、その周辺に電飾８が配されている。また、盤面窓枠２には、窓７を閉塞するためのガラス板７ａが窓７の背後に装着される。そして、盤面窓枠２の背後の窓７に臨んだ位置には、中枠４に保持された遊技盤９が配されている。
【００１６】
遊技盤９は、透明な合成樹脂（本実施例ではポリカーボネート）製である。この遊技盤９には、ガイドレール１１、複合入賞装置１２、ゲート１３、大入賞口１４、普通入賞口１５、庇部材１６、ステージ１７等が取り付けられ、遊技釘１８や風車１９が打ち付けられている。また、遊技盤９の下部には、アウト球となった遊技球を遊技盤９の裏側に誘導するための開口部９ａが形成されている（図２参照）。
【００１７】
複合入賞装置１２は、可変入賞装置１２ａおよび始動入賞口１２ｂを備え、可変入賞装置１２ａまたは始動入賞口１２ｂに入賞した場合には大当たり抽選が行われ、これに応じて表示装置（図示省略）にて図柄の変動表示がなされる。大当たり抽選が当たりであれば、図柄の変動表示に続いて表示装置にて大当たり図柄の確定表示が行われる。その大当たり図柄の確定表示がなされると大当たり遊技の開始となって大入賞口１４が開放される。
【００１８】
また、可変入賞装置１２ａが閉鎖状態（図示の状態）にあるときには、可変入賞装置１２ａの上方にある始動入賞口１２ｂによって可変入賞装置１２ａへの入賞を阻まれる（可変入賞装置１２ａへは、開放時しか入賞できない）。この可変入賞装置１２ａは、その左右に配されているゲート１３に遊技球が進入したことに起因する抽選で当たりになると開放される。
【００１９】
また、庇部材１６とステージ１７とに挟まれた主表示領域２０には、遊技釘１８が打ち付けられておらず、他の装置類も配されていない。この主表示領域２０は、遊技盤９の背後に配された表示装置による図柄の変動表示や、背景画像やキャラクタ等の画像の表示を良好に視認させるための領域である。
【００２０】
また、図２に示すように、パチンコ機１は、遊技機設置島（図示省略）から供給される遊技球を一時貯留するための構成である球タンク２３を備える。なお、球タンク２３は、本発明の弾球遊技機用の球タンクの一例である。
【００２１】
この球タンク２３は、図３に示すように、略直方体の箱形状を有する。また、球タンク２３は、内部が空洞になっている。
また、球タンク２３の左端上面には、遊技機設置島から供給される遊技球を受け入れるための開口である受入口２３ａが形成されている。受入口２３ａは、遊技球の直径寸法よりも若干大きく設定されている。受入口２３ａには、筒状の接続部材１００が接続されている。この接続部材１００の他端は遊技機設置島に接続されている。そして、遊技機設置島から供給される遊技球が一列に整列した状態で接続部材１００を介して受入口２３ａから球タンク２３に注入される。また、球タンク２３の右端側面には、遊技球を排出するための開口である排出口２３ｂが形成されている。排出口２３ｂは、遊技球の直径寸法よりも若干大きく設定されている。
【００２２】
また、球タンク２３の内部では、前側の壁面２３ｃから後側の壁面２３ｄに向けて多数の仕切り板２３ｅが延出するとともに、後側の壁面２３ｄから前側の壁面２３ｃに向けて多数の仕切り板２３ｆが延出し、前側の仕切り板２３ｅと後側の仕切り板２３ｆとが左右方向に交互に配置されている。
【００２３】
なお、前側の仕切り板２３ｅと後側の仕切り板２３ｆとの間の左右方向の幅寸法は、遊技球の直径寸法よりも若干大きく設定されている。また、前側の仕切り板２３ｅと後側の壁面２３ｄとの間の前後方向の隙間寸法は、遊技球の直径寸法よりも若干大きく設定されている。また、後側の仕切り板２３ｆと前側の壁面２３ｃとの間の前後方向の隙間寸法は、遊技球の直径寸法よりも若干大きく設定されている。また、球タンク２３の内部の上下方向の高さ寸法は、遊技球の直径寸法よりも若干大きく設定されている。
【００２４】
以上のような構成により、球タンク２３の内部に一条の誘導通路２３ｇが形成されている。この誘導通路２３ｇは、遊技球が一列に整列する状態で通過可能な筒状になっている。また、誘導通路２３ｇの底面２３ｈは、受入口２３ａ近傍から排出口２３ｂ近傍に向けて、緩やかな傾斜面となっている。
【００２５】
また、図２に示すように、パチンコ機１は、球タンク２３から排出される遊技球を払出装置（図示省略）に導く接続樋２４を備える。
この接続樋２４は筒状であり、上下方向に延出する姿勢で遊技盤９の右側に配置される。なお、接続樋２４の内径寸法は、遊技球の直径寸法よりも若干大きく設定されている。
【００２６】
接続樋２４の上端には受入口２４ａが形成されている。受入口２４ａは、遊技球の直径寸法よりも若干大きく設定されている。接続樋２４の下端には排出口２４ｂが形成されている。排出口２４ｂは、遊技球の直径寸法よりも若干大きく設定されている。接続樋２４の排出口２４ｂから排出された遊技球は払出装置に供給される。
【００２７】
このような構成を有する本実施形態のパチンコ機１によれば、球タンク２３が、受入口２３ａから受け入れた遊技球を一列に整列させた状態で排出口２３ｂまで誘導するように構成されているので、従来構成の弾球遊技機が備えるような、球タンクの遊技球を整列させて流下させるための誘導樋が不要となる。そして、誘導樋を設置するためのスペースを弾球遊技機内に確保する必要もなくなる。
【００２８】
また、上記実施形態の球タンク２３は、上述のような構成を有するため、遊技球を内部で循環させて使用する封入式遊技機と上記実施形態のパチンコ機１のような弾球遊技機との間で、他の遊技盤等の構成とともに共通化することができる。
【００２９】
以上、本発明の一実施形態について説明したが、本発明は上記実施形態に限定されるものではなく、以下のような様々な態様にて実施することが可能である。
上記実施形態では、球タンク２３内部に形成される誘導通路２３ｇが筒状になっており、遊技球が一列に整列する状態で通過可能になっているが、これには限られず、例えば、球タンク２３上部を開放することで誘導通路２３ｇを樋状に形成してもよい。
【符号の説明】
【００３０】
１…パチンコ機、２…盤面窓枠、２ｃ…ハンドル、３…外枠、４…中枠、５ａ，５ｂ…ヒンジ、７…窓、７ａ…ガラス板、８…電飾、９…遊技盤、９ａ…開口部、１１…ガイドレール、１２…複合入賞装置、１２ａ…可変入賞装置、１２ｂ…始動入賞口、１３…ゲート、１４…大入賞口、１５…普通入賞口、１６…庇部材、１７…ステージ、１８…遊技釘、１９…風車、２０…主表示領域、２３…球タンク、２３ａ…受入口、２３ｂ…排出口、２３ｃ…前側の壁面、２３ｄ…後側の壁面、２３ｅ…前側の仕切り板、２３ｆ…後側の仕切り板、２３ｇ…誘導通路、２３ｈ…底面、２４…接続樋、２４ａ…受入口、２４ｂ…排出口、１００…接続部材。
【図１】
2016214653.tif 000003
【図２】
2016214653.tif 000004
【図３】
2016214653.tif 000005